(57)【要約】【課題】本発明は、位置追跡システムが搭載された移動端末機の性能テスト方法及びその装置を提供する。【解決手段】端末機などが登録を排除し、アイドルモードのテスト段階に進入できるように、登録のために必要なアイテムを仮想的に変更し、前記アイドルモードのテスト段階で前記端末機の性能をテストすることを特徴とする。登録に必要な既に貯蔵された不揮発性アイテムを参照してローディングされるパラメータを変更して端末機が基地局に登録されることを排除し、アイドルモードのテスト状態へ進入し、前記アイドルモードのテスト段階で前記端末機の性能をテストすることを特徴とする。【選択図】　図２
2004056792.tif 000002
【特許請求の範囲】
【請求項１】
端末機などが登録を排除し、アイドルモードのテスト段階へ進入できるように登録のために必要なアイテムを仮想的に変更する段階と、
前記アイドルモードのテスト段階で前記端末機の性能をテストする段階と
を含めてなることを特徴とする端末機の性能テスト方法。
【請求項２】
登録に必要な既に貯蔵された不揮発性アイテムを参照してローディングされるパラメータを変更して端末機が基地局に登録されることを排除する段階と、
アイドルモードのテスト状態へ進入する段階と、
前記アイドルモードのテスト段階で前記端末機の性能をテストする段階と
を含めてなることを特徴とする端末機の性能テスト方法。
【請求項３】
各々の登録に必要な既に貯蔵された不揮発性のアイテムを参照してローディングされるパラメータを変更して前記端末機が基地局に登録されることを排除する段階と、
アイドルモードのテスト状態へ進入する段階と、
前記アイドルモードのテスト段階で前記端末機の性能をテストする段階と、
前記テストの結果ＦＡＩＬの場合、前記端末機を個別的に更にテストする段階と
を含めてなることを特徴とする位置追跡機能を有する端末機の性能テスト方法。
【請求項４】
テスト用基地局信号の電力をオフにする段階と、
ディバイダーから前記端末機への経路をオンにする段階と、
前記端末機を性能テスト装置に連結する段階と、
前記連結された端末機が前記基地局に登録することを排除するように登録に必要な既に貯蔵された不揮発性のアイテムを参照してローディングされるパラメータを変更する段階と、
前記端末機がアイドルモードのテスト段階へ進入する段階と、
前記基地局の信号の電力をオンにする段階と、
前記アイドルモードのテスト段階で前記端末機の性能をテストする段階と
を含めてなることを特徴とする位置追跡機能を有する端末機の性能テスト方法。
【請求項５】
前記テスト結果がｆａｉｌである場合、前記ディバイダーの経路をオン／オフにして個別的にテストを行う段階を更に含むことを特徴とする請求項４に記載の位置追跡機能を有する端末機の性能テスト方法。
【請求項６】
前記端末機が基地局に登録することを排除し、アイドルモードのテスト段階へ進入できるように登録のために必要なアイテムを仮想的に変更し、前記アイドルテストモードのテスト段階で前記端末機の性能をテストするテスターを含めてなることを特徴とする位置追跡機能を有する端末機の性能テスト装置。
【請求項７】
前記装置は前記性能をテストするために用いられる信号と、位置追跡信号及び基地局信号を発生するための発生器と、
前記位置追跡信号及び前記基地局信号の結合信号を出力する結合機と、
前記テスターの制御下で多数の端末機に対する結合信号を分配するディバイダーと
を更に含めてなることを特徴とする位置追跡機能を有する端末機の性能テスト装置。
【請求項８】
前記テスターは前記テスト結果がｆａｉｌの場合、個別テストのために前記結合信号の経路をオン／オフにすることを特徴とする請求項７に記載の位置追跡機能を有する端末機の性能テスト装置。
【請求項９】
端末機がテストモードへ進入する前に登録に必要な既に貯蔵された不揮発性のアイテムを参照してローディングされるパラメータを変更し、前記アイドルモードのテスト段階で前記端末機の性能をテストするテスターを含めてなることを特徴とする端末機の性能テスト装置。
【請求項１０】
前記性能をテストするために用いられる信号は、位置追跡信号及び基地局信号を発生するための発生器と、
前記位置追跡信号及び前記基地局信号の結合信号を出力する結合機と、
前記テスターの制御下で多数の端末機に対する結合信号を分配するディバイダーとを更に含めてなることを特徴とする請求項９に記載の端末機の性能テスト装置。
【請求項１１】
前記テスターは前記テスト結果がｆａｉｌの場合、個別テストのために前記結合信号の経路をオン／オフにすることを特徴とする請求項１０に記載の端末機の性能テスト装置。
【請求項１２】
ｎ個の経路を有し、任意の端末機のアイドルモードテストの結果がｆａｉｌの場合、前記ｎ個の経路を個別的にオンにするディバイダーと、
前記アイドルモードテスト結果をモニタリング処理し、前記端末機がブーティングする時、各々の登録のために必要とする非揮発性アイテムを参照してローディングされるパラメータを変更して、前記端末機が前記基地局に登録されることを防止するように制御する診断モニタリング装置と
を含めてなることを特徴とする端末機の性能テスト装置。
【請求項１３】
前記診断モニタリング装置は基地局信号の電力がオフされた状態で前記端末機がブーティングされ、自身に連結されるようにすることを特徴とする請求項１２に記載の端末機の性能テスト装置。
【請求項１４】
前記診断モニタリング装置は、前記連結された端末機が一つのコード多重化接続チャンネルを各々検索するようにパラメータを変更することを特徴とする請求項１２に記載の端末機の性能テスト装置。
【請求項１５】
前記診断モニタリング装置は、前記基地局信号の電力がオンの状態で前記性能テストを行うことを特徴とする請求項１３に記載の位置追跡機能を有する端末機の性能テスト装置。
【発明の詳細な説明】
【０００１】
【発明の属する技術分野】
本発明は、位置追跡システムが搭載された移動端末機の性能をテストする方法及びこのための装置に関する。
【０００２】
【従来の技術】
現在移動通信端末機を用いた情報通信関連技術の開発及び応用において急激な発展が成されているが、その中の一分野として衛星通信を用いた位置情報収集システムであるＧＰＳを採択した端末機が挙げられる。
【０００３】
Ｑｕａｌｃｏｍｍ社のｇｐｓＯｎｅはＧＰＳ衛星信号が地上のＧＰＳ受信機まで到達するのにかかる時間を測定して位置を追跡するＧＰＳ（Ｇｌｏｂａｌ　Ｐｏｓｉｔｉｏｎｉｎｇ　Ｓｙｓｔｅｍ）とＣＤＭＡ（Ｃｏｄｅ　Ｄｉｖｉｓｉｏｎ　Ｍｕｌｔｉｐｌｅ　Ａｃｃｅｓｓ）と基地局信号が端末機に到達するのにかかる時間を測定して位置を追跡するＮｅｔｗｏｒｋ　ｂａｓｅｄ　Ｌｏｃａｔｉｏｎ　Ｄｅｔｅｒｍｉｎａｔｉｏｎ　Ｔｅｃｈｎｏｌｏｇｙを結合させたハイブリッド方式でｇｐｓＯｎｅ機能が搭載されたＣＤＭＡ端末機の位置を追跡する技術である。
【０００４】
これはＣＤＭＡｃｏｄｅ　ｐｈａｓｅ　ｌｏｃｋの結果からＧＰＳ　ｃｏｄｅｐｈａｓｅ　ｌｏｃｋの結果を測定してＣＤＭＡ網に位置したＰＤＥ（Ｐｏｓｉｔｉｏｎ　Ｄｅｔｅｒｍｉｎａｔｉｏｎ　Ｅｑｕｉｐｍｅｎｔ）に結果を伝送し、ＰＤＥが計算した該当端末機の位置結果を用途に合わせて用いる技術である。
【０００５】
しかしながら、以上の関連技術で言及し非特許文献１ではアイドルモードテスト時に必要な一部設定以外には具体的なテスト手続きについては示唆されていない。
【０００６】
又、試験進行のために試料端末機（ＭＵＳＴ）に貯蔵されているＮＶ（ＮｏｎＶｏｌａｔｉｌｉｚａｔｉｏｎ）特性のアイテム値の値を変更するが、これは試料端末機が再ブーティングしなければ不可能であるので、再ブーティングに無駄な時間が所要される。
【０００７】
即ち、試料端末機の不揮発性メモリ内に該当パラメータが定義されているが、前記試料端末機は該パラメータを用いて自身のブーティング時に基地局への登録を図ることになる。
【０００８】
このように定義されたパラメータをＮＶアイテムというが、前記試料端末機のブーティング時には大部分のＮＶアイテムが参照されるので前記ＮＶアイテムの値を変更して該変更されたＮＶアイテム値をＭＳＵＴの動作に反映するには前記試料端末機の再ブーティング段階が必要である。
【０００９】
しかしながら、このような関連技術の位置追跡機能を有しているＭＳＵＴのテストにおいて次のような問題があった。
【００１０】
関連技術の性能テスト方式では試験に所要される計測器が理論的には２台以上のＭＳＵＴによって共有された状態で試験進行が可能になるようにしているが、具体的な試験の手続きは確立されていない。
【００１１】
また、試験進行のために試料端末機のＮＶアイテムの値を変更するが、これは試料端末機が再ブーティングしてのみ可能であるため再ブーティングに無駄な時間が所要される。
【００１２】
従って、量産試験の時、一回の再ブーティングはＭＳＵＴ当り、更に数分以上の試験時間がかかるので試験の効率を低下させる。
【００１３】
また、複数の試料端末機を同時にブーティングしながら進むＮＶアイテムの値を変更する前に前記試料端末機が基地局に登録を図る過程で現れる得る試験進行上の問題点に対する解決法が提示されていない。
【００１４】
特に不良試料端末機がディバイダーに締結された時に現れ得るインピーダンス不整合の問題を解決できなかった。
【００１５】
【非特許文献１】
Ｑｕａｌｃｏｍｍ社の技術文書ＣＬ９３−Ｖ２２４４−１（２００２．３．１４）
【００１６】
【発明が解決しようとする課題】
本発明は、上記関連技術の問題点を解決するためのもので、本発明の目的は、移動端末機の性能をテストする方法及びこのための装置を提供する。
【００１７】
本発明の他の目的は、位置追跡システムが搭載された移動端末機の性能をテストする方法及びこのための装置を提供する。
【００１８】
本発明の他の目的は、アイドルモードの試験進行を量産試験に適用できるようにした位置追跡システムが搭載された移動端末機の性能をテストする方法及びこのための装置を提供する。
【００１９】
本発明の他の目的は、非活性特性のパラメータの変更時に試料端末機の再ブーティングを防止するようにする移動端末機の性能をテストする方法及びこのための装置を提供する。
【００２０】
本発明の他の目的は、多数の試料端末機の性能をテストするためのディバイダーのインピータンス不整合を防止するための移動端末機の性能をテストするための方法及びこのための装置を提供する。
【００２１】
【課題を解決するための手段】
本発明は、上記関連技術の問題点を解決するためのもので、本発明の一実施例によると、端末機などが登録を排除し、アイドルモードのテスト段階へ進入できるように登録のために必要なアイテムを仮想的に変更する段階と、前記アイドルモードのテスト段階で前記端末機の性能をテストする段階とを含めてなることを特徴とする。
また、本発明の他の一実施例によると、登録に必要な既に貯蔵された不揮発性アイテムを参照してローディングされるパラメータを変更して端末機が基地局に登録されることを排除する段階と、アイドルモードのテスト状態へ進入する段階と、前記アイドルモードのテスト段階で前記端末機の性能をテストする段階と
を含めてなることを特徴とする。
【００２２】
また、本発明の他の一実施例によると、各々の登録に必要な既に貯蔵された不揮発性のアイテムを参照してローディングされるパラメータを変更して前記端末機が基地局に登録されることを排除する段階と、アイドルモードのテスト状態へ進入する段階と、前記アイドルモードのテスト段階で前記端末機の性能をテストする段階と、前記テストの結果がＦＡＩＬの場合に前記端末機を個別的に更にテストする段階とを含めてなるからなることを特徴とする。
また、本発明の他の一実施例によると、テスト用基地局信号の電力をオフにする段階と、ディバイダーから前記端末機への経路をオンにする段階と、前記端末機を性能テスト装置に連結する段階と、前記連結された端末機が前記基地局に登録することを排除するように登録に必要な既に貯蔵された不揮発性のアイテムを参照してローディングされるパラメータを変更する段階と、前記端末機がアイドルモードのテスト段階へ進入する段階と、前記基地局の信号の電力をオンにする段階と、前記アイドルモードのテスト段階で前記端末機の性能をテストする段階とを含めてなることを特徴とする。
【００２３】
また、本発明の他の一実施例によると、ｎ個の経路を有し、任意の端末機のアイドルモードテストの結果がｆａｉｌの場合、前記ｎ個の経路を個別的にオンにするディバイダーと、前記アイドルモードテスト結果をモニタリング処理し、前記端末機がブーティングする時、各々の登録のために必要とする非揮発性アイテムを参照してローディングされるパラメータを変更して前記端末機が前記基地局に登録されることを防止するように制御する診断モニタリング装置を含めてなることを特徴とする。
【００２４】
本発明による端末機の性能テスト方法は、端末機などが登録を排除し、アイドルモードのテスト段階へ進入できるように登録のために必要なアイテムを仮想的に変更する段階と、前記アイドルモードのテスト段階で前記端末機の性能をテストする段階とを含めてなることを特徴とし、それにより上記目的が達成される。
【００２５】
本発明による端末機の性能テスト方法は、登録に必要な既に貯蔵された不揮発性アイテムを参照してローディングされるパラメータを変更して端末機が基地局に登録されることを排除する段階と、アイドルモードのテスト状態へ進入する段階と、前記アイドルモードのテスト段階で前記端末機の性能をテストする段階とを含めてなることを特徴とし、それにより上記目的が達成される。
【００２６】
本発明による位置追跡機能を有する端末機の性能テスト方法は、各々の登録に必要な既に貯蔵された不揮発性のアイテムを参照してローディングされるパラメータを変更して前記端末機が基地局に登録されることを排除する段階と、アイドルモードのテスト状態へ進入する段階と、前記アイドルモードのテスト段階で前記端末機の性能をテストする段階と、前記テストの結果ＦＡＩＬの場合、前記端末機を個別的に更にテストする段階とを含めてなることを特徴とし、それにより上記目的が達成される。
【００２７】
本発明による位置追跡機能を有する端末機の性能テスト方法は、テスト用基地局信号の電力をオフにする段階と、ディバイダーから前記端末機への経路をオンにする段階と、前記端末機を性能テスト装置に連結する段階と、前記連結された端末機が前記基地局に登録することを排除するように登録に必要な既に貯蔵された不揮発性のアイテムを参照してローディングされるパラメータを変更する段階と、前記端末機がアイドルモードのテスト段階へ進入する段階と、前記基地局の信号の電力をオンにする段階と、前記アイドルモードのテスト段階で前記端末機の性能をテストする段階とを含めてなることを特徴とし、それにより上記目的が達成される。
【００２８】
前記テスト結果がｆａｉｌである場合、前記ディバイダーの経路をオン／オフにして個別的にテストを行う段階を更に含むことを特徴としてもよい。
【００２９】
本発明による位置追跡機能を有する端末機の性能テスト装置は、前記端末機が基地局に登録することを排除し、アイドルモードのテスト段階へ進入できるように登録のために必要なアイテムを仮想的に変更し、前記アイドルテストモードのテスト段階で前記端末機の性能をテストするテスターを含めてなることを特徴とし、それにより上記目的が達成される。
【００３０】
本発明による位置追跡機能を有する端末機の性能テスト装置は、前記性能をテストするために用いられる信号と、位置追跡信号及び基地局信号を発生するための発生器と、前記位置追跡信号及び前記基地局信号の結合信号を出力する結合機と、前記テスターの制御下で多数の端末機に対する結合信号を分配するディバイダーとを更に含めてなることを特徴とし、それにより上記目的が達成される。
【００３１】
前記テスターは前記テスト結果がｆａｉｌの場合、個別テストのために前記結合信号の経路をオン／オフにすることを特徴としてもよい。
【００３２】
本発明による端末機の性能テスト装置は、端末機がテストモードへ進入する前に登録に必要な既に貯蔵された不揮発性のアイテムを参照してローディングされるパラメータを変更し、前記アイドルモードのテスト段階で前記端末機の性能をテストするテスターを含めてなることを特徴とし、それにより上記目的が達成される。
【００３３】
前記性能をテストするために用いられる信号は、位置追跡信号及び基地局信号を発生するための発生器と、前記位置追跡信号及び前記基地局信号の結合信号を出力する結合機と、前記テスターの制御下で多数の端末機に対する結合信号を分配するディバイダーとを更に含めてなることを特徴としてもよい。
【００３４】
前記テスターは前記テスト結果がｆａｉｌの場合、個別テストのために前記結合信号の経路をオン／オフにすることを特徴としてもよい。
【００３５】
本発明による端末機の性能テスト装置は、ｎ個の経路を有し、任意の端末機のアイドルモードテストの結果がｆａｉｌの場合、前記ｎ個の経路を個別的にオンにするディバイダーと、前記アイドルモードテスト結果をモニタリング処理し、前記端末機がブーティングする時、各々の登録のために必要とする非揮発性アイテムを参照してローディングされるパラメータを変更して、前記端末機が前記基地局に登録されることを防止するように制御する診断モニタリング装置とを含めてなることを特徴とし、それにより上記目的が達成される。
【００３６】
前記診断モニタリング装置は基地局信号の電力がオフされた状態で前記端末機がブーティングされ、自身に連結されるようにすることを特徴としてもよい。
【００３７】
前記診断モニタリング装置は、前記連結された端末機が一つのコード多重化接続チャンネルを各々検索するようにパラメータを変更することを特徴としてもよい。
【００３８】
前記診断モニタリング装置は、前記基地局信号の電力がオンの状態で前記性能テストを行うことを特徴としてもよい。
【００３９】
【発明の実施の形態】
以下、添付の図面を参照して本発明を更に詳細に説明する。
【００４０】
図１は、本発明の望ましい実施例による位置追跡機能が搭載された端末機のテスト装置の構成図である。
【００４１】
図１を参照すれば、位置追跡機能を有する端末機の性能テストのためにＭＳＵＴ１５とベースステーションテストセット１１との間に通話チャンネルを設定せず、前記ＭＳＵＴ１５がアイドルモードであることを仮定する。前記ＭＳＵＴ１５がブーティングされる時、前記ＭＳＵＴ１５は自身の中に貯蔵された不揮発性のアイテムなどの値を参照してベースステーションテストセット１１に登録を図る。この時、診断モニタリング装置１３は前記ＮＶアイドルの値を変えて前記ＭＳＵＴ１５が前記ベースステーションテストセット１１に登録を図ることを遮断するものではなく、前記ＭＳＵＴ１５をブーティングする時に前記診断モニタリング装置１３がＮＶアイテムの値を参照してメモリの該当アドレスにローディングされるパラメータだけを変えて前記ＭＳＵＴ１５が再ブーティングされる要因を除去するものである。言い換えれば、前記診断モニタリング装置１３は前記ＮＶアイテム値を実質的に変更するものではなく、前記ＭＳＵＴ１５が前記ＮＶアイテム値を参照できないように前記ＮＶアイテム値を仮想的に変更するものである。これによって、前記ＭＳＵＴ１５自ずからべースステーションテストセット１１に登録することを防止する。
【００４２】
これはＭＳＵＴ１５がべースステーションテストセット１１に登録できないように前記診断モニタリング装置１３が前記ＮＶアイテムの値を変えると、性能試験手続きの完了後に常用網で端末機が前記基地局で登録できるように前記診断モニタリング装置１３がＮＶアイテムの値を変え直さなければならないという問題が起きるのを解決するためである。
【００４３】
テスト装置の構成は図２に示すように、単一チャンネルのＧＰＳＲＦ信号を生成するＧＰＳ信号生成機１２及びＣＤＭＡＲＦ信号を生成するべースステーションテストセット１１、前記ＧＰＳＲＦ信号と前記ＣＤＭＡＲＦ信号の結合信号を生成する結合機１４、前記診断モニタリング装置１３の制御下で前記結合信号の経路を分配するディバイダー１６、テスト対象となるＭＳＵＴ（Ｍｏｂｉｌｅ　Ｓｔａｔｉｏｎ　Ｕｎｄｅｒ　Ｔｅｓｔ）１５と、診断モニタリングソフトウェアを有して試験進行に必要な計測器を制御し、前記ＮＶアイテムの値を仮想的に変更し、テスト結果をモニタリングし処理する前記診断モニタリング装置１３、また、周波数カウンター（又はオシロスコープ）、テストモバイルステーション（ＭＳＵＴ）２５の個数だけのＲＦ　ｓｈｉｅｌｄボックス及び各ブロックの連結に必要なケーブルを含めてなる。
【００４４】
前記べースステーションテストセット１１は前記ＭＳＵＴ１５がＧＰＳ信号を受信するためのＧＰＳ　ｃｏｄｅ　ｐｈａｓｅ　ｌｏｃｋのために基地局とＣＤＭＡ　ｃｏｄｅ　ｐｈａｓｅ　ｌｏｃｋを先行する過程上、必要なＣＤＭＡ信号を発生する。
【００４５】
前記ディバイダー１６は前記ＣＤＭＡ　ＲＦ信号及びＧＰＳ　ＲＦ信号の結合信号を１個以上の経路で分配する。該分配される経路の個数及び特定経路にいかなる結合信号を分配するかに対してはＧＰＩＢ（Ｇｅｎｅｒａｌ　Ｐｕｒｐｏｓｅ　Ｉｎｔｅｒｆａｃｅ　Ｂｕｓ：ＩＥＥＥ−４８８に規定される計測器遠隔制御に関するプロトコール）またはその他の制御経路を介して前記診断モニタリング装置１３が制御する。
【００４６】
前記診断モニタリング装置１３は前記べースステーションテストセット１１のセクタパワーがＯＦＦになった状態でｎ個のＭＳＵＴ１５のいずれもが前記ディバイダー１６に締結及びブーティングされるように制御する。この時、前記診断モニタリング装置１３は一つのＣＤＭＡチャンネルを検索できるように自身のメモリの該当住所にローディングされるパラメータを変更するように前記ＭＳＵＴ１５をセットする。前記パラメータは前記診断モニタリング装置１３に伝えられる。前記診断モニタリング装置１３は前記べースステーションテストセット１１のセクタパワーをオンにして全体ＭＳＵＴ１５の性能試験を進め、前記ＭＳＵＴ１５の性能テストのＦＡＩＬが発生する場合、各々のＭＳＵＴ１５を個別的にテストするように制御する。
【００４７】
即ち、前記ディバイダー１６に分配されるｎ個の経路のうち、一つずつだけＯＮにして各ＭＳＵＴ１５に対して個別性能テストを行う。
【００４８】
アイドルモードテストは基本的にＭＳＵＴ１５が基地局に登録を図ろうとしないという前提条件下で行われる。
【００４９】
しかしながら、前記ＭＳＵＴ１５はブーティングした後、前記ＭＳＵＴ１５が前記べースステーションテストセット１１に登録を図る前に、前記診断モニタリング装置１３が登録に関するＮＶアイテムを参照してメモリにロッドされるパラメータを変える前に前記ＭＳＵＴ１５がＣＤＭＡアイドル状態になると前記ＭＳＵＴ１５は前記べースステーションテストセット１１に登録を図ることになる。
【００５０】
量産試験時には多数のＭＳＵＴが時差をおいてブーティングし、ブーティング速度でも確率的な差が存在する。また、最初ブーティングしたＭＳＵＴがＣＤＭＡ　アイドル状態になり最後にブーティングしたＭＳＵＴ１５がＣＤＭＡ　アイドル状態になるまでは時間差があるので、その時間差の間一台以上のＭＳＵＴ１５が前記べースステーションテストセット１１に登録を図ることができる確率が生じ得る。
【００５１】
例えば、ＭＳＵＴ１５がべースステーションテストセット１１に登録を図るためにＮＶアイテム値のロードされたメモリ住所を参照する間に、前記診断モニタリング装置１３が前記ＮＶアイテムのメモリ住所値を変えるとか、前記ＭＳＵＴ１５が前記べースステーションテストセット１１への登録のために前記ＭＳＵＴ１５が送信機及び／または受信機を動作させる間に、位置追跡性能テスト開始命令を前記診断モニタリング装置１３から受ける場合には、ＭＳＵＴ１５の状態及び試験進行のために予測し難い。
【００５２】
これはＭＳＵＴ１５が前記べースステーションテストセット１１への登録を図る段階に移行することを防がなかった場合には、アイドルモードテストがうまく進まないことを意味するもので、本発明はこのようなエラー発生を除去できるアイドルモードテスト方法を提供する。
【００５３】
以下、本発明による位置追跡機能を有する端末機の性能テスト方法に関して説明する。
【００５４】
図２は本発明の望ましい実施例による位置追跡機能を有する端末機の性能テストのためのフローチャートである。
【００５５】
図２を参照すると、端末機（ＭＳＵＴ）１５のアイドルモードテストを進めるためにＧＰＳ信号生成機１２は特定フォーマットのＧＰＳ信号を発生し、べースステーションテストセット１１は必要なパラメータを初期化する（Ｓ３０１）。
【００５６】
この時、ディバイダー１４はｎ個の分配経路をいずれもオンにしている状態である。
【００５７】
前記べースステーションテストセット１１がセクタパワーＯＦＦにしてから（Ｓ３０２）、前記ディバイダー１４はｎ個のＭＳＵＴが締結されてブーティングされるようにし（Ｓ３０３）、前記診断モニタリング装置１３はｎ個のＭＳＵＴ１５の全てが前記診断モニタリング装置１３に連結されるまで待機する（Ｓ３０４）。
ここで、セクタパワーは前記べースステーションテストセット１１のＲＦ信号の強さを意味するもので、セクタパワーをＯＦＦにしたということは、アイドルモード試験が進められるＭＳＵＴ１５がＣＤＭＡアイドル状態に進入できないということであり、前記ＭＳＵＴ１５がＣＤＭＡアイドル状態に進入できないため、べースステーションテストセット１１に登録を図らないということを意味する。
【００５８】
ｎ個のＭＳＵＴ１５の全てが前記診断モニタリング装置１３に連結されると、前記診断モニタリング装置１３はＣＤＭＡアイドル状態に入るために所要される時間を削減するためにＭＳＵＴ１５のＰＲＬ　（Ｐｒｅｆｅｒｒｅｄ　Ｒｏａｍｉｎｇ　Ｌｉｓｔ）ＬＩＳＴ設定において、ＮＶアイテムの値を変更するのではなく、Ｓ／Ｗ的に伝えられるパラメータを変更して一つのＣＤＭＡチャンネルだけをＭＳＵＴ１５がサーチするように設定する（Ｓ３０５）。
【００５９】
言い換えれば、前記診断モニタリング装置１３は前記ＮＶアイテム値を参照してメモリの該当住所にローディングされるパラメータ値を変更して前記ＭＳＵＴ１５の再ブーティングの主要因を取り除く。
【００６０】
このような設定段階を進め、前記診断モニタリング装置１３はＭＳＵＴ１５のアイドルモード設定をオンにしてＭＳＵＴ１５がＣＤＭＡアイドル状態に進入した後にべースステーションテストセット１１に登録を図らないように設定する（Ｓ３０６）
これはべースステーションテストセット１１のセクタパワーをオンにした後に（Ｓ３０７）ＭＳＵＴ１５が登録過程を行わないようにして、アイドルモードに進入するのにかかる時間を短縮するためである。
【００６１】
このようにセクタパワーをオンにした後に、前記診断モニタリング装置１３はｎ個のＭＳＵＴが全てアイドルモードであるかどうかをモニタリングする（Ｓ３０８）。
【００６２】
モニタリングの結果、ｎ個のＭＳＵＴが全てアイドルモードであればｎ個のＭＳＵＴに対して同時にアイドルモードにおける位置追跡性能テストを行う（Ｓ３０９）。
【００６３】
このようなアイドルモードテストが全て終了すると（Ｓ３１０）前記テスト結果が‘ＰＡＳＳ’であるかどうかを判定する（Ｓ３１１）。
【００６４】
試験の結果、全てのＭＳＵＴがＰＡＳＳであれば、次の試験に進み、任意のＭＳＵＴ１５のテスト結果がＦＡＩＬであれば、ディバイダー１６で分配されるｎ個の経路のうち、一つずつだけオンにして（Ｓ３１２、Ｓ３１３）ｎ個のＭＳＵＴに対する個別試験を進める。
【００６５】
個別試験はアイドルモードテストスタート段階（Ｓ３１４）と、ＰＡＳＳ／ＦＡＩＬ結果の処理段階（Ｓ３１５）と、ｎ値を１増加させる段階（Ｓ３１６）、増加されたｎ値が最大値であるかどうかを判断する段階（Ｓ３１７）とを含む。
【００６６】
このような個別試験結果によってどのＭＳＵＴが特別に不良であるかどうかを評価できる。
【００６７】
このような個別評価が必要な理由は次の通りである。
【００６８】
ｎ個中に一つのＭＳＵＴのＧＰＳ経路が不良で、ＧＰＳ経路のインピータンス５０ｏｈｍ以外の値になると、その影響がＧＰＳＲＦ信号をディバイダーにより共有している他のＭＳＵＴに及んで他のＭＳＵＴの性能テストを撹乱させるからである。
【００６９】
即ち、このような問題が発生する場合には同時に多数のＭＳＵＴのテスト結果がＦＡＩＬ処理となるのでパワーディバイダーの信号経路を１回に一つずつオンさせて該当ＭＳＵＴｄ１性能をテストし、特別に不良なＭＳＵＴを探し出さねばならないためである。
【００７０】
【発明の効果】
以上説明したように、本発明による位置追跡機能を有する端末機の性能テスト装置及び方法は次のような効果がある。
【００７１】
第一、関連技術で理論的にのみ提示されているアイドルモード試験を実際適用した時、発生し得る試験進行上の問題点を解決する効果がある。
【００７２】
第二、ＭＳＵＴがブーティング時、必要もなしにべースステーションテストセット１１への登録手続きを行って発生するＦａｉｌｕｒｅを防止できる。
【００７３】
第三、ＭＳＵＴのアイドルモードテスト時に関連するＮＶアイテム設定をＮＶアイテムを直接変えずに、Ｓ／Ｗ的に伝えられるパラメータを変えてアイドルモードで動作するようにしてＮＶアイテム設定を有効にするための再ブーティングが不要である。
【００７４】
これは出庫時に必要なアイドルモードＯＦＦ動作を行うためのＮＶアイテムの再設定段階が不要となるので試験所要時間を短縮する効果を実現する。
【００７５】
第四、１台以上連結されたＭＳＵＴの中で少なくとも一つの不良ＭＳＵＴがある時、個別試験段階を進めて該当ＭＳＵＴのインピータンス不整合がディバイダーに影響を与えることを防止する。
【００７６】
これは不良ＭＳＵＴが他のＭＳＵＴの試験性能を低下することを抑制する効果を有する。
【００７７】
以上本発明の好適な一実施例について説明したが、前記実施態様に限定されず、本発明の技術思想に基づいて種々の変形が可能である。
【図面の簡単な説明】
【図１】本発明の望ましい実施態様による位置追跡機能が搭載された端末機のテスト装置の構成図である。
【図２】本発明の望ましい実施態様による位置追跡機能を有する端末機の性能テストのためのフローチャートである。
【符号の説明】
１１　ベースステーションテストセット
１２　ＧＰＳ信号生成機
１３　診断モニタリング装置
１４　結合機
１５　ＭＳＵＴ
１６　ディバイダー
【図１】
2004056792.tif 000003
【図２】
2004056792.tif 000004